(57)【要約】【課題】大きな粘着力が得られる厚みの大きな両面接着材を使用しても、貼り付け歪みによるフレキシブルディスクの外周側の垂れを少なくすることができる記録ディスクメディアを備える記録ディスクカートリッジを提供することにある。【解決手段】柔軟な円盤状をしたフレキシブルディスク３１とフランジ部３２３を有するハブ３２とからなり、フランジ部３２３のフランジ面３２３ａ側に貼着固定した環状の両面接着材８０を介して、フランジ部３２３にフレキシブルディスク３１の一面側中央部を貼着固定してなる記録ディスクメディア３０を有し、該記録ディスクメディア３０をカートリッジケース１０内に回転自在に収容してなる記録ディスクカートリッジ１であって、フランジ部３２３のフランジ面３２３ａに両面接着材８０の厚みを吸収する環状の凹部３２４を設けた。【選択図】図５
2007188551.tif 000002
【特許請求の範囲】
【請求項１】
柔軟な円盤状をしたフレキシブルディスクとフランジ部を有するハブとからなり、前記フランジ部のフランジ面側に貼着固定した環状の両面接着材を介して、該フランジ部に前記フレキシブルディスクの一面側中央部を接着固定してなる記録ディスクメディアを有し、該記録ディスクメディアをカートリッジケース内に回転自在に収容してなる記録ディスクカートリッジにおいて、
前記フランジ部に前記両面接着材の厚みを吸収する環状の凹部を設けたことを特徴とする記録ディスクカートリッジ。
【請求項２】
前記フランジ部のフランジ面に、前記両面接着材で該フランジ部に固定されていない前記フレキシブルディスクの一部を該フレキシブルディスクの下面側から受けて支えるディスク受け面部を、前記凹部の外側全周にわたって設けたことを特徴とする請求項１記載の記録ディスクカートリッジ。
【請求項３】
前記凹部の深さが、前記両面接着材の厚みの約２０〜８０％であることを特徴とする請求項１または請求項２記載の記録ディスクカートリッジ。
【請求項４】
前記凹部における内周端部と外周端部の深さを中央部分よりも深く形成し、この深く形成した部分により両面接着材の内周部と外周部にそれぞれ下側に向かって突出しているバリを吸収できるようにしたことを特徴とする請求項１から請求項３のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収納するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。
特許文献１に記載の記録ディスクカートリッジ８００は、図８に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。かかる記録ディスクカートリッジ８００は、専用のドライブ装置（図示省略）に装着されて使用される。
【０００４】
記録ディスクメディア８３０は、図８及び図９に示すように、記録ディスクメディア８３０が、円盤状のフレキシブルディスク８３１とハブ８３２とから構成されている。ハブ８３２は、中心部に孔８３３が形成された環状本体部８３４と、この環状本体部８３４の上端外周部分から外側に向かい、かつ、全周にわたって鍔状に延出されているフランジ部８３５とからなる。また、環状本体部８３４には、ドライブ装置の駆動機構のスピンドル（図示省略）が係合し、ハブ８３２に回転力を与えるようになっている。
また、フランジ部８３５とフレキシブルディスク８３１との間には、表裏両面に接着面を持つ環状の両面接着材８４０が設けられており、その両面接着材８４０の粘着力でフレキシブルディスク８３１の中央部分の下面８３６とフランジ部８３５のフランジ面８３７とが接着固定されている。
【０００５】
両面接着材８４０は、表裏両面に接着材料を設けたシート材から、環状に打ち抜かれて形成されたもので、図１０に示すように、打ち抜き用の刃が当てられる上側の内周エッジ部分と外周エッジ部分にはそれぞれダレ８４１が、反対の下側の内周エッジ部分と外周エッジ部分にはそれぞれバリ８４２が下側に突き出した状態に作られ、フランジ部８３５とフレキシブルディスク８３１との間に設けられる前、下側の平面となるべき部分はバリ８４２により断面視で中央部が上側に僅かに凹む（両端が僅かに突出する）凹曲面８４３になっている。
【特許文献１】米国特許第６２５６１６８号明細書
【発明の開示】
【発明が解決しようとする課題】
【０００６】
上述したように、従来の記録ディスクカートリッジ８００における記録ディスクメディア８３０において、フランジ部８３５とフレキシブルディスク８３１との間を固定している両面接着材８４０は、その製造時に、上側面の内周エッジ部分と外周エッジ部分にダレ８４１が作られ、下側面の内周エッジ部分と外周エッジ部分にはそれぞれバリ８４２が発生し、平面となるべき下側面は断面側面視上側に凹む凹曲面８４３の形状になっている。
【０００７】
このため、両面接着材８４０でフランジ部８３５に接着されたフレキシブルディスク８３１は、貼り付け歪みによりその外周側の部分が、図９に示すように、外周エッジ部分のダレ８４１に倣ってフランジ部８３５側に大きく斜めに垂れ下がった状態になり易い。この垂れ下がりは、ディスクの高容量化、狭トラック化により記録ディスクカートリッジ８００内のフレキシブルディスク８３１の位置精度を高める上で、深刻な影響をもたらす。
【０００８】
また、両面接着材８４０は、より高い粘着力を持つものが好ましく、高い粘着力を持たせるには粘着材料の厚みが大きなものほど粘着力が高いという傾向にある。しかし、粘着材料の厚みを大きくすると、両面接着材８４０の高さ、すなわちフランジ部８３５とフレキシブルディスク８３１との間の距離が大きくなる。また、打ち抜き加工時に作られるダレ８４１やバリ８４２も大きくなり、バラツキも生じる。さらには、両面接着材８４０の厚みのバラツキも大きくなる。これらのバラツキは、フレキシブルディスク８３１の垂れにも影響を与え、垂れにバラツキを生じさせることになる。この結果、カートリッジ毎の特性が異なりやすく、信頼性を高める上で深刻な影響をもたらす。
【０００９】
このような背景に鑑みて本発明がなされたのであり、大きな粘着力が得られる厚みの大きな両面接着材を使用しても、貼り付け歪みによるフレキシブルディスクの外周側の垂れを少なくすることができる記録ディスクメディアを備える記録ディスクカートリッジを提供することを課題とする。
【課題を解決するための手段】
【００１０】
本発明は、上記課題を解決するために、請求項１記載にかかる記録ディスクカートリッジでは、柔軟な円盤状をしたフレキシブルディスクとフランジ部を有するハブとからなり、前記フランジ部のフランジ面側に貼着固定した環状の両面接着材を介して、該フランジ部に前記フレキシブルディスクの一面側中央部を接着固定してなる記録ディスクメディアを有し、該記録ディスクメディアをカートリッジケース内に回転自在に収容してなる記録ディスクカートリッジにおいて、前記フランジ部に前記両面接着材の厚みを吸収する環状の凹部を設けてなる構成とした。
【００１１】
このように、フランジ部のフランジ面に環状の凹部を設けて該凹部内に環状の両面接着材を配置し、この凹部の深さで両面接着材の厚みを吸収するようにすると、大きな粘着力が得られる厚みの大きな両面接着材を使用しても、フレキシブルディスクとフランジ面との間の距離が大きくなるのを抑えることができる。そして、フレキシブルディスクをフランジ部に近づけることによって、両面接着材で接着されたフレキシブルディスクの直ぐ外側に位置している部分を下側から支えることができるので、外周側の垂れを少なくすることができる。
【００１２】
請求項２記載にかかる記録ディスクカートリッジでは、前記フランジ部のフランジ面に、前記両面接着材で該フランジ部に固定されていない前記フレキシブルディスクの一部を該フレキシブルディスクの下面側から受けて支えるディスク受け面部を、前記凹部の外側全周にわたって設けてなる構成とした。
【００１３】
このように、両面接着材でフランジ部に固定されていないフレキシブルディスクの外側部分の一部を、ディスク受け面部で下面側から受けて支えることにより、フレキシブルディスクの外周側の垂れをさらに少なくすることができる。
【００１４】
請求項３記載にかかる記録ディスクカートリッジでは、前記凹部の深さが、前記両面接着材の厚みの約２０〜８０％で形成してなる構成とした。
【００１５】
このように、凹部の深さを両面接着材の厚みよりも小さく形成することにより、両面接着材による十分な接着力を残したまま、両面接着材の厚みをフランジ部側で吸収することができる。
【００１６】
請求項４記載にかかる記録ディスクカートリッジでは、前記凹部における内周端部と外周端部の深さを中央部分よりも深く形成し、この深く形成した部分により両面接着材の内周部と外周部にそれぞれ下側に向かって突出しているバリを吸収できるようにしてなる構成とした。
【００１７】
このように、凹部における内周端部と外周端部の深さを中央部分よりも深く形成しておくと、仮に打ち抜き加工された両面接着材の下面側の内周エッジ部分と外周エッジ部分に下側に向かうバリが発生していたとしても、そのバリは内周端部と外周端部の深く形成した部分で吸収され、下面側の平面となるべき部分が、バリによって仮に断面視上側に僅かに凹む凹曲面になっていたとしても、この凹曲面が底面形状に倣って密着した状態で貼り付けられる。これにより、粘着性が高まるとともに、高さ寸法も安定する。
【発明の効果】
【００１８】
本発明によれば、フランジ部のフランジ面に環状の凹部を設けて該凹部内に環状の両面接着材を配置し、この凹部の深さで両面接着材の厚みを吸収するようにしているので、大きな粘着力が得られる厚みの大きな両面接着材を使用しても、フレキシブルディスクとフランジ面との間の距離が大きくなるのを抑えることができる。そして、フレキシブルディスクをフランジ部に近づけた状態で、フレキシブルディスクがフランジ部に取り付けられ、両面接着材で接着されたフレキシブルディスクの直ぐ外側に位置している部分を下側からフランジ部で支えることができるので、フレキシブルディスクにおける外周側の垂れを少なくすることができ、記録ディスクカートリッジ内のフレキシブルディスクの位置精度を高めてディスクの高容量化、狭トラック化に寄与する。
【発明を実施するための最良の形態】
【００１９】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、下シェル及びハブ孔シャッタを取り外したときの記録ディスクカートリッジの下側の様子を示す図である。図４は、本実施形態に係るロータリシャッタを示す斜視図であり、（ａ）は前方斜め上方からみた図、（ｂ）は後方斜め下方からみた図である。図５は、本実施形態の記録ディスクカートリッジの断面図であり、（ａ）は記録ディスクカートリッジの中央部の断面図、（ｂ）は記録ディスクメディアの要部断面図である。図６は、本実施形態に係る記録ディスクカートリッジをドライブ装置に挿入した状態を示す斜視図である。
なお、本実施形態において方向を説明する場合は、図１に示す前、後、右、左、上、下、を基準として説明する。また、図３中、下シェルのガイド溝及びハブ孔シャッタは、便宜上、仮想線（二点鎖線）で表わしている。
【００２０】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６０，６０と、各ライナ６０をロータリシャッタ２０の内面に固着する接着層６１（固定層）と、を主に備えている。そして、このような記録ディスクカートリッジ１は、専用のドライブ装置Ｄ（図６参照）に、その前側から挿入されて使用される。
【００２１】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図６参照）。
【００２２】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図６参照）の動作に干渉しない形状となっている。
【００２３】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００２４】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２５】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２６】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２７】
さらに、上シェル１１は、その中央部に、ロータリシャッタ２０を回動可能に止め付けるセンタピン５０と係合する係合孔１１３を有している。
【００２８】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２９】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００３０】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００３１】
また、アーチ状フレーム１３１は、下向きに開口し、カートリッジケース１０の内部と外部を連通させる係合溝１３１ｅ（図３参照）を有している。この係合溝１３１ｅは、後記するロック片７０が係合する溝である。
【００３２】
Ｖノッチ部材１３３は、後記するように閉方向に付勢されるロータリシャッタ２０を閉位置で止めるストッパとしての役割と（図３参照）、ドライブ装置Ｄとの係合部としての役割とを備える部材であり、左端部１０ｄの前側に配置されている。
【００３３】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００３４】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図４参照）。
【００３５】
ロータリシャッタ２０は、図２及び図４に示すように、記録ディスクメディア３０を外部に臨ませる切欠部２０１を有している（図６参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３６】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図３、図６参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図６参照）。
【００３７】
また、ロータリシャッタ２０は、図示しない付勢手段（例えば渦巻きばね）によって、閉方向（図３、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図３、図６参照）。
ちなみに、本発明において、前記付勢手段は必須の構成要素ではなく、ドライブ装置Ｄ（図６参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００３８】
このようなロータリシャッタ２０は、図２及び図４に示すように、金属プレートからなる上シャッタ２１及び下シャッタ２２と、これらの間に介在した合成樹脂製のシャッタウォール２３と、を備えて構成されている。
【００３９】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００４０】
また、上シャッタ２１は、その中央部に、前記したセンタピン５０を挿通させるための挿通孔２１２を有している。
【００４１】
下シャッタ２２は、その中央部に、記録ディスクメディア３０の後記するハブ３２を外部に露出させるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００４２】
さらに、下シャッタ２２の下面には、ロータリシャッタ２０を回動させるためのシャッタノブ２４が取り付けられている（図４（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図６参照）。
【００４３】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタの側面から、その径方向外側に向かって徐々に離れるように延出した細長の金属片である。ロック片７０の先端部７１は、径方向内側に向かってやや屈曲している（図３、図４参照）。
【００４４】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図３参照）に係合し、ロータリシャッタ２０が回動しないようになっている。
【００４５】
また、ロック片７０の先端部７１は、係合溝１３１ｅを介して、記録ディスクカートリッジ１の右側方に臨んでいる。そして、記録ディスクカートリッジ１がドライブ装置Ｄ（図６参照）に挿入されると、ドライブ装置Ｄ内のロック解除ピン（図示省略）が、ロック片７０の先端部７１を径方向内側に押し（図３の矢印Ａ６参照）、ロック片７０と係合溝１３１ｅとの係合が解除され、ロータリシャッタ２０が回動可能となるように構成されている。
【００４６】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４７】
＜記録ディスクメディア３０＞
記録ディスクメディア３０は、データを記録する記録媒体であり、本実施形態では、図２及び図５に示すように、フレキシブルディスク３１と、このフレキシブルディスク３１を支持するハブ３２と、から構成されている。
【００４８】
フレキシブルディスク３１は、例えば、ポリエステルシートなどからなる円盤状の支持体の両面に磁性層などの記録層を形成したものである。
【００４９】
ハブ３２は、フレキシブルディスク３１を支持する合成樹脂性の部材で、図５（ｂ）に細部構造を示すように、中心部に孔３２１が形成された環状本体部３２２と、環状本体部３２２の上端外周部分から外側に向かって延出され、上面にフランジ面３２３ａを有するフランジ部３２３とからなる。環状本体部３２２は、図５（ａ）に示すように、下シャッタ２２のハブ孔２２２及び下シェル１２のハブ孔１２３とを介して、記録ディスクカートリッジ１の下面に露出している。この環状本体部３２２には、ドライブ装置Ｄの図示しない駆動機構のスピンドルが係合し、ハブ３２に回転力を与えるようになっている。また、フランジ部３２３のフランジ面３２３ａとフレキシブルディスク３１との間には、表裏両面に接着面を持つ環状の両面接着材８０が設けられており、その両面接着材８０の粘着力でフレキシブルディスク３１の下面側における中央部分とフランジ部３２３のフランジ面３２３ａとが接着固定されている。
【００５０】
フランジ部３２３のフランジ面３２３ａのうち、両面接着材８０を貼り付ける部分には、孔３２１を同心として、両面接着材８０の幅と略等しい溝幅を有してなる環状の凹部３２４が設けられており、その凹部３２４の底面３２５に両面接着材８０の下面側がその粘着力で貼り付けられている。凹部３２４の深さは、両面接着材８０の厚みの約２０〜８０％である。したがって、凹部３２４内に貼り付けられた両面接着材８０は、フランジ部３２３のフランジ面３２３ａから両面接着材８０の厚みの約８０〜２０％が突出した状態で貼り付けられる。また、フランジ面３２３ａにおける凹部３２４の径方向外側の面は、両面接着材８０でフランジ部３２３に固定されていないフレキシブルディスク３１の一部３１１を下面側から受けて支えるディスク受け面部３２６として機能する。
【００５１】
両面接着材８０は、フィルム材の表裏両面に接着材料を設けた１枚のシートから、環状に打ち抜かれて形成されたもので、図１０に示した従来の両面接着材と同様の構造のものである。なお、ここでの両面接着材８０は、粘着力を大きく確保できるように、従来の構造のものよりも厚みを持たせてあり、本例では約１００μｍの厚みである。したがって、図１０に示しているように、打ち抜き用の刃が当てられる上側の内周エッジ部分と外周エッジ部分にはそれぞれダレ８０１が、反対の下側の内周エッジ部分と外周エッジ部分にはそれぞれバリ８０２がそれぞれ発生し、フランジ部３２３とフレキシブルディスク３１との間に設けられる前、下側の平面となるべき部分はバリ８０２により断面視で中央が上側に僅かに凹む（両端が僅かに突出する）アーチ状の凹曲面８４３になっている点も同じである。
【００５２】
次に、記録ディスクメディア３０の組立方法を説明すると、まずフランジ部３２３の凹部３２４に両面接着材８０の下面側を落とし込んで、凹部３２４内に両面接着材８０を配置させる。次いで、フランジ部３２３とフレキシブルディスク３１とを位置合わせし、フレキシブルディスク３１の中央部をフランジ部３２３に押し付けると、両面接着材８０の下面とハブ３２とが接着固定されるとともに、両面接着材８０の上面とフレキシブルディスク３１の下面とが接着固定される。これにより、フランジ部３２３にフレキシブルディスク３１が接着固定されて一体化される。
【００５３】
＜ライナ６０＞
図２に戻って説明を続ける。
ライナ６０，６０は、記録ディスクメディア３０をクリーニングすると共に、記録ディスクメディア３０を保護するものであり、例えば、不織布等から形成されている。そして、図２に示すように、ライナ６０，６０は、上シャッタ２１及び下シャッタ２２のフレキシブルディスク３１（記録ディスクメディア３０）側にそれぞれ位置しており、両面接着材などを介して上シャッタ２１又は下シャッタ２２に固定されている。
【００５４】
＜ハブ孔シャッタ４０＞
ハブ孔シャッタ４０は、下シェル１２とハブ３２との間の隙間Ｓ（図５（ａ）、図６参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００５５】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００５６】
また、第１シャッタ４１は、その他方側に、ハブ３２と嵌り合うように半円形状に切り欠かれた嵌合部４１２を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５７】
さらに、第１シャッタ４１は、下シャッタ２２の下側面に設けられた係合突起２２３ａが係合する係合長孔４１３を有している。同様に、第２シャッタ４２は、係合突起２２３ａが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００５８】
≪記録ディスクカートリッジの作用効果≫
次に、記録ディスクカートリッジ１の作用効果について説明する。まず、ロータリシャッタ２０及びハブ孔シャッタ４０の動作について図６を主に参照して説明し、その後、記録ディスクメディア３０の作用効果について図５（ｂ）を参照して説明する。
【００５９】
＜ロータリシャッタ２０の動作＞
ロータリシャッタ２０は、図６右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００６０】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図３、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図３、矢印Ａ２参照）。
【００６１】
そうすると、シャッタノブ２４が固定されたロータリシャッタ２０は、カートリッジケース１０内でセンタピン５０を軸として回動する（図３、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６２】
そして、図６左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００６３】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図３参照）。
【００６４】
＜ハブ孔シャッタ４０の動作＞
次に、このようなロータリシャッタ２０の動作に連動するハブ孔シャッタ４０について説明する。
ハブ孔シャッタ４０は、図６右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００６５】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図３、矢印Ａ４、Ａ４参照）。
【００６６】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図３、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図３、矢印Ａ５参照）。
【００６７】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図６左側参照）。その結果として、ハブ３２及びこれを備える記録ディスクメディア３０は、ハブ３２にチャックするドライブ装置Ｄのスピンドル（図示省略）により、良好に回転することができる。
【００６８】
なお、記録ディスクカートリッジ１がドライブ装置Ｄから取り出されると、閉位置に戻るロータリシャッタ２０に連動して、ハブ孔シャッタ４０は隙間Ｓを閉じる。
【００６９】
＜記録ディスクメディア３０の作用効果＞
記録ディスクメディア３０は、図５（ｂ）に示すように、両面接着材８０の厚みが凹部３２４の深さで吸収されるので、大きな粘着力が得られる厚みの大きい両面接着材８０を用いても、フレキシブルディスク３１とフランジ面３２３ａとの間の距離が大きくなるのを抑えることができる。そして、フレキシブルディスク３１をフランジ部３２３に近づけ、図５（ｂ）に示すように、両面接着材８０で接着固定されているフレキシブルディスク３１における中央部の直ぐ外側の部分３１１をディスク受け面部３２６で下側から支え、フレキシブルディスク３１における外周側部分における垂れを少なくすることができる。これにより、大きな粘着力が得られる厚みの大きな両面接着材８０を使用しても、貼り付け歪みによるフレキシブルディスク３１の外周側部分の垂れを少なくすることができる。
【００７０】
以上、本発明の好適な実施形態について説明したが、本発明は前記実施形態に限定されず、本発明の趣旨を逸脱しない範囲で、適宜変更することもできる。
【００７１】
すなわち、前記した実施形態においては、凹部３２４の底面３２５（図５（ｂ）参照）の形状は、平面で形成したものを示しているが、例えば、図７に示すように、凹部３２４の底面３２７は、内周端部３２７ａと外周端部３２７ｂの深さを中央部分よりも深く形成し、この深く形成した部分で、両面接着材８０の内周部と外周部にそれぞれ作られているバリ８４２（図１０参照）を吸収するようにしてもよい。このように、凹部３２４の内周端部３２７ａと外周端部３２７ｂとで、両面接着材８０のバリ８４２を吸収できるようにしておくと、仮に打ち抜き加工された両面接着材８０の下面側の内周エッジ部分と外周エッジ部分とにそれぞれバリ８４２が発生していたとしても、両面接着材８０の下面と凹部３２４の底面３２７とが密着した状態で貼り付けられる。これにより、粘着性が高まるとともに、高さ寸法も安定する。
【００７２】
また、ハブ３２の凹部３２４は、凹部３２４に対応する成形面を有する金型を用いてハブ３２を射出成形することで形成してもよいし、他の公知の方法で適宜に形成してもよい。
【図面の簡単な説明】
【００７３】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】下シェル及びハブ孔シャッタを取り外したときの記録ディスクカートリッジの下側の様子を示す図である。
【図４】本実施形態に係るロータリシャッタを示す斜視図であり、（ａ）は前方斜め上方からみた図、（ｂ）は後方斜め下方からみた図である。
【図５】本実施形態に係る記録ディスクカートリッジの断面図であり、（ａ）は記録ディスクカートリッジの中央部の断面図、（ｂ）は記録ディスクメディアの要部断面図である。
【図６】本実施形態に係る記録ディスクカートリッジをドライブ装置に挿入した状態を示す斜視図である。
【図７】他の実施形態に係る記録ディスクカートリッジにおける記録ディスクメディアの断面図である。
【図８】従来の記録ディスクカートリッジを示し、（ａ）は上面側から見た外観斜視図、（ｂ）は下面側から見た外観斜視図である。
【図９】従来の記録ディスクカートリッジにおける記録ディスクメディアの断面図である。
【図１０】両面接着材の断面図である。
【符号の説明】
【００７４】
１        記録ディスクカートリッジ
１０      カートリッジケース
２０      ロータリシャッタ
３０      記録ディスクメディア
３１      フレキシブルディスク
３２      ハブ
４０      ハブ孔シャッタ
８０      両面接着材
３２２    環状本体部
３２３    フランジ部
３２３ａ  フランジ面
３２４    凹部
３２５    底面
３２６    ディスク受け面部
Ｄ        ドライブ装置
【図１】
2007188551.tif 000003
【図２】
2007188551.tif 000004
【図３】
2007188551.tif 000005
【図４】
2007188551.tif 000006
【図５】
2007188551.tif 000007
【図６】
2007188551.tif 000008
【図７】
2007188551.tif 000009
【図８】
2007188551.tif 000010
【図９】
2007188551.tif 000011
【図１０】
2007188551.tif 000012